(57)【要約】【課題】積層した溶接用ワイヤの一部が跳ね上がり力によって弾性羽根の上側に移動しても、正常な溶接用ワイヤの払出しを可能とする。【解決手段】弾性羽根１６は直線状の帯状体であり、押さえ部材１５の周方向に放射状に固定されている。弾性羽根の外周側の端部１６ａは、上方に向けて折り曲げられている。押さえ部材をペイル容器に収納する場合には、弾性羽根の両端部が外筒の内周面１２ａと内筒の外周面１１ａに接触して略Ｕ字状に湾曲され、その弾性復元力により積層溶接用ワイヤ１４の上端面が押さえ部材によって弾性的に押される。弾性羽根の外周側の端部を上方に向けて折り曲げたことから、弾性羽根の内周面１２ａ側に位置する部分は、内周面１２ａに接触する接触部分Ｔ１と、この接触部分Ｔ１から連続して上方に延在し、内周面１２ａに接触しない非接触部分Ｔ２とを備える。【選択図】        図４
2004174534.tif 000002
【特許請求の範囲】
【請求項１】
縦型二重筒構造のペイル容器の内筒と外筒との間に溶接用ワイヤをリング状に巻回積層し、この積層した溶接用ワイヤの上端面にドーナツ板状の押さえ部材を配置し、この押さえ部材の上部に複数の弾性羽根を放射状に配置し、これら弾性羽根が前記内筒の外周面及び前記外筒の内周面に接触して弾性変形することで前記溶接用ワイヤの上端面を弾性的に押さえると共に、積層した溶接用ワイヤを、前記内筒と前記押さえ部材の内径側との間の隙間から払い出すようにしたペイルパック巻溶接用ワイヤの払出し治具において、
前記弾性羽根の前記外筒の内周側に位置する部分は、前記外筒の内周面に接触する接触部分と、この接触部分から連続して上方に延在し、前記内周面に接触しない非接触部分とを備えていることを特徴とするペイルパック巻溶接用ワイヤの払出し治具。
【請求項２】
前記弾性羽根は直線状の弾性部材であり、前記外筒の内周面側に位置する端部を上方に曲げていることを特徴とする請求項１記載のペイルパック巻溶接用ワイヤの払出し治具。
【請求項３】
前記弾性羽根は、ループ形状の弾性部材であることを特徴とする請求項１記載のペイルパック巻溶接用ワイヤの払出し治具。
【発明の詳細な説明】
【０００１】
【発明の属する技術分野】
本発明は、ペイルパック巻溶接用ワイヤの払出し治具に関する。
【０００２】
【従来の技術】
従来のこの種のペイルパック巻溶接用ワイヤの払出し治具としては、縦型二重筒構造のペイル容器の内筒と外筒との間に溶接用ワイヤをリング状に巻回積層し、この積層した溶接用ワイヤの上端面にドーナツ板状の押さえ部材を配置し、この押さえ部材の上部に複数の弾性羽根を放射状に配置し、これら弾性羽根が内筒の外周面及び外筒の内周面に接触して弾性変形することで溶接用ワイヤの上端面を弾性的に押さえ、積層された溶接用ワイヤを、内筒と押さえ部材の内径側との間の隙間から払い出すようにしたものが知られている（例えば、特許文献１。）。
【０００３】
ここで、ペイル容器内に積層した溶接用ワイヤを格納する際には、払い出される溶接用ワイヤに弛み等が生じないように、溶接用ワイヤ４に弾性変形限度内での捩じりを付与して巻回積層しており、格納完了後に積層された溶接用ワイヤが跳ね上がる力を持つため、この力を押さえ部材が押さえている。
【０００４】
【特許文献１】
特開平２  −１４７５６６号公報
【０００５】
【発明が解決しようとする課題】
ところで、積層した溶接用ワイヤの上端面を押さえ部材が押さえていても、積層された溶接用ワイヤの跳ね上がり力によって、積層した溶接用ワイヤの一部が弾性羽根の上側に出てしまうことがある。
ここで、図８は従来の弾性羽根１を示すものであり、この弾性羽根１は、押さえ部材２の上部に放射状に固定されており、ペイル容器を構成している内筒の外周面３及び外筒の内周面４とに弾性変形しながら接触している。そして、弾性羽根１の一方の端部１ａの先端は、外筒の内周面４に接触した状態となっている。
【０００６】
このように、端部１ａの先端が外筒の内周面４に接触する弾性羽根１であると、跳ね上がり力によって弾性羽根１の上側に出でしまったワイヤ５が、自重によって破線で示すワイヤ５のように積層したワイヤ６側の下方に戻ろうとしても、端部１ａの先端と外筒の内周面４との接触部に邪魔されて戻れず、このワイヤ５が弾性羽根１に引っ掛かることで、正常な払い出しができないという問題がある。
【０００７】
本発明はこのような不都合を解消するためになされたものであり、積層した溶接用ワイヤの一部が跳ね上がり力によって弾性羽根の上側に移動しても、正常な溶接用ワイヤの払出しを可能とするペイルパック巻溶接用ワイヤの払出し治具を提供することを目的とする。
【０００８】
【課題を解決するための手段】
請求項１記載の発明は、縦型二重筒構造のペイル容器の内筒と外筒との間に溶接用ワイヤをリング状に巻回積層し、この積層した溶接用ワイヤの上端面にドーナツ板状の押さえ部材を配置し、この押さえ部材の上部に複数の弾性羽根を放射状に配置し、これら弾性羽根が前記内筒の外周面及び前記外筒の内周面に接触して弾性変形することで前記溶接用ワイヤの上端面を弾性的に押さえると共に、積層した溶接用ワイヤを、前記内筒と前記押さえ部材の内径側との間の隙間から払い出すようにしたペイルパック巻溶接用ワイヤの払出し治具において、前記弾性羽根の前記外筒の内周側に位置する部分は、前記外筒の内周面に接触する接触部分と、この接触部分から連続して上方に延在し、前記内周面に接触しない非接触部分とを備えている。
【０００９】
また、請求項２記載の発明は、請求項１記載のペイルパック巻溶接用ワイヤの払出し治具において、前記弾性羽根は直線状の弾性部材であり、前記外筒の内周面側に位置する端部を上方に曲げている。
さらに、請求項３記載の発明は、請求項１記載のペイルパック巻溶接用ワイヤの払出し治具において、前記弾性羽根をループ形状の弾性部材とした。
【００１０】
【発明の実施の形態】
以下、本発明に係るペイルパック巻溶接用ワイヤの払出し治具の実施形態について、図面を参照して説明する。
以下、本発明の実施形態の一例を図を参照して説明する。図１は本発明の実施の形態の一例であるペイルパック巻溶接用ワイヤの払出し治具を説明するための断面図、図２は押さえ部材の上部に固定した弾性羽根を示す図、図３は図２のＩＩＩ−ＩＩＩ線矢視図である。
【００１１】
図１に示すように、このペイルパック巻溶接用ワイヤの払出し治具は、縦型二重筒構造のペイル容器１０の内筒１１と外筒１２との間に溶接用ワイヤ１３がリング状に巻回積層されると共に、積層溶接用ワイヤ１４の上端面が、複数の弾性羽根１６によってドーナツ板状の押さえ部材１５を介して弾性的に押さえられている。ペイル容器１０内に溶接用ワイヤ１３を格納する際には、払い出される溶接用ワイヤ１３に弛み等が生じないように、溶接用ワイヤ１３に弾性変形限度内での捩じりを付与してリング状に巻回積層している。
【００１２】
そして、積層溶接用ワイヤ１４の払出し始端（巻き終わり端）を内筒１１と押さえ部材１５の内径部との間、およびペイル容器の上方に配置されたコンジットチューブ固定金具１７に通して送給装置（図示せず）で引き出すことにより溶接用ワイヤ１３の払出しが行われる。なお、溶接用ワイヤ１３の払出しが行われると、積層溶接用ワイヤ１４の上端レベルは降下するが、この降下に連動して押さえ部材１５も降下するようになっている。
【００１３】
そして、本実施形態の弾性羽根１６は、プラスチック等の弾性部材で形成した直線状の帯状体であり、図２に示すように、押さえ部材１５の周方向に放射状に固定されている。  そして、図３に示すように、各弾性羽根１６の外周側の端部１６ａは、上方に向けて折り曲げられている。
上記構造の弾性羽根１６を備えた押さえ部材１５を、ペイル容器１０に収納する場合には、図４に示すように、各弾性羽根１６の両端部が外筒１２の内周面１２ａと内筒１１の外周面１１ａに接触して略Ｕ字状に湾曲され、その弾性復元力により積層溶接用ワイヤ１４の上端面が押さえ部材１５によって弾性的に押されるようになっている。
【００１４】
ここで、弾性羽根１６の外周側の端部１６ａを上方に向けて折り曲げたことから、図４に示すように、弾性羽根１６の内周面１２ａ側に位置する部分は、内周面１２ａに接触する接触部分Ｔ１と、この接触部分Ｔ１から連続して上方に延在し、内周面１２ａに接触しない非接触部分Ｔ２とを備える。
このような構造において、積層溶接用ワイヤ１４の一部（跳ね上がりワイヤ）１４ａが、跳ね上がり力によって弾性羽根１６の上側に出てしまい、この跳ね上がりワイヤ１４ａが、自重によって積層溶接用ワイヤ１４側の下方に戻ろうとする状態について、図５を参照して説明する。
【００１５】
羽根上がりワイヤ１４ａは、弾性羽根１６の非接触部分Ｔ２の外周に接触しながら下方に移動していく。そして、羽根上がりワイヤ１４ａが弾性羽根１６の接触部分Ｔ１まで移動していくと、羽根上がりワイヤ１４ａが、内周面１２ａと接触している接触部分Ｔ１に径方向内方への力を作用し、接触部分Ｔ１と内周面１２ａとの間に隙間Ｓを設けた状態で弾性羽根１６が弾性変形していく。そして、羽根上がりワイヤ１４ａは、隙間Ｓを通って積層溶接用ワイヤ１４側に戻っていく。
【００１６】
このように、積層溶接用ワイヤ１４の一部（跳ね上がりワイヤ）１４ａが弾性羽根１６の上側に出たとしても、その跳ね上がりワイヤ１４ａが下方に移動して弾性羽根１６の非接触部分Ｔ２に接触することで、接触部分Ｔ１と外筒１２の内周面１２ａとの間に隙間Ｓが設けられ、この隙間Ｓを通過して積層溶接用ワイヤ１４側に戻るので、跳ね上がりワイヤ１４ａが弾性羽根１６に引っ掛かる等の不都合が発生せず、正常な溶接用ワイヤ１４の払出しを行うことができる。
【００１７】
また、弾性羽根１６の外周側の端部１６ａを上方に向けて折り曲げるという簡単な構造で、積層溶接用ワイヤ１４の一部が弾性羽根１６の上側に出たときの不都合を簡単に解決することができる。
次に、図６及び図７に示すものは、本発明に係る弾性羽根の他の実施形態を示すものである。なお、図１から図５で示した構成と同一構成部分には、同一符号を付してその説明を省略する。
【００１８】
本実施形態の弾性羽根１８は、プラスチック等の弾性部材で形成したループ形状（環状）の帯状体であり、押さえ部材１５の周方向に放射状に固定されている。
この構造の弾性羽根１８を備えた押さえ部材１５をペイル容器１０に収納する場合には、各弾性羽根１８の一部が外筒１２の内周面１２ａと内筒１１の外周面１１ａに接触して楕円形状に変形し、その弾性復元力により積層溶接用ワイヤ１４の上端面が押さえ部材１５によって弾性的に押されるようになっている。
【００１９】
ここで、弾性羽根１８の内周面１２ａ側に位置する部分は、内周面１２ａに接触する接触部分Ｔ１と、この接触部分Ｔ１から連続して上方に延在し、内周面１２ａに接触しない非接触部分Ｔ２とを備える。
このような構造において、積層溶接用ワイヤ１４の一部（跳ね上がりワイヤ）１４ａが、跳ね上がり力によって弾性羽根１８の上側に出てしまい、この跳ね上がりワイヤ１４ａが、自重によって積層溶接用ワイヤ１４側の下方に戻ろうとする状態について、図７を参照して説明する。
【００２０】
羽根上がりワイヤ１４ａは、弾性羽根１８の非接触部分Ｔ２の外周に接触しながら下方に移動していく。そして、羽根上がりワイヤ１４ａが弾性羽根１６の接触部分Ｔ１まで移動していくと、羽根上がりワイヤ１４ａが、内周面１２ａと接触している接触部分Ｔ１に径方向内方への力を作用し、接触部分Ｔ１と内周面１２ａとの間に隙間Ｓを設けた状態で弾性羽根１８が弾性変形していく。そして、羽根上がりワイヤ１４ａは、隙間Ｓを通って積層溶接用ワイヤ１４側に戻っていく。
【００２１】
このように、積層溶接用ワイヤ１４の一部（跳ね上がりワイヤ）１４ａが弾性羽根１８の上側に出たとしても、その跳ね上がりワイヤ１４ａが下方に移動して弾性羽根１８の非接触部分Ｔ２に接触することで、接触部分Ｔ１と外筒１２の内周面１２ａとの間に隙間Ｓが設けられ、この隙間Ｓを通過して積層溶接用ワイヤ１４側に戻るので、跳ね上がりワイヤ１４ａが弾性羽根１８に引っ掛かる等の不都合が発生せず、正常な溶接用ワイヤ１４の払出しを行うことができる。
【００２２】
また、弾性羽根１８をループ形状の弾性部材とした簡単な構造で、積層溶接用ワイヤ１４の一部が弾性羽根１８の上側に出たときの不都合を簡単に解決することができる。
【００２３】
【発明の効果】
請求項１のペイルパック巻溶接用ワイヤの払出し治具によれば、積層した溶接用ワイヤの一部が弾性羽根の上側に出たとしても、その溶接用ワイヤが下方に移動して弾性羽根の非接触部分に接触することで、接触部分と外筒の内周面との間に隙間が設けられ、この隙間を通過して積層溶接用ワイヤ側に戻るので、積層した溶接用ワイヤの一部が弾性羽根の上側に出て弾性羽根に引っ掛かる等の不都合が発生せず、正常な溶接用ワイヤの払出しを行うことができる。
また、請求項２，３の発明は、請求項１の実施形態例であり、簡単な形状の弾性羽根を押さえ部材に固定することで、積層した溶接用ワイヤの一部が弾性羽根の上側に出たときの不都合を簡単に解決することができる。
【図面の簡単な説明】
【図１】本発明のペイルパック巻溶接用ワイヤの払出し治具を説明するための説明的断面図である。
【図２】押さえ部材の上部に放射状に弾性羽根を固定した平面図である。
【図３】図２のＩＩＩ−ＩＩＩ線矢視図である。
【図４】本発明に係る弾性羽根を備えた押さえ部材をペイル容器に収納する状態を示す図である。
【図５】弾性羽根の上部に出た積層溶接用ワイヤの一部が、積層した溶接用ワイヤ側へ戻る状態を説明した図である。
【図６】本発明に係る別の実施形態の弾性羽根を備えた押さえ部材をペイル容器に収納する状態を示す図である。
【図７】図６で示した弾性羽根の上部に出た積層溶接用ワイヤの一部が、積層した溶接用ワイヤ側へ戻る状態を説明した図である。
【図８】従来の弾性羽根を備えた押さえ部材をペイル容器に収納する状態を示す図である。
【符号の説明】
１０  ペイル容器
１１  内筒
１１ａ  内筒の外周面
１２  外筒
１２ａ  外筒の内周面
１３  溶接用ワイヤ
１４  積層した溶接用ワイヤ
１５  押さえ部材
１６，１８  弾性羽根
Ｔ１  接触部分
Ｔ２  非接触部分
Ｓ    隙間
【図１】
2004174534.tif 000003
【図２】
2004174534.tif 000004
【図３】
2004174534.tif 000005
【図４】
2004174534.tif 000006
【図５】
2004174534.tif 000007
【図６】
2004174534.tif 000008
【図７】
2004174534.tif 000009
【図８】
2004174534.tif 000010